【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】
情報処理装置に情報を送信する情報提供装置において、
前記情報処理装置の現在位置を示す位置情報を保持する第１の保持手段と、
前記情報処理装置の移動範囲を分割した領域に対応させて、前記情報を保持する第２の保持手段と、
前記位置情報を基に、前記情報処理装置の前記現在位置が含まれる前記領域に対応する、前記情報を選択する選択手段と、
前記情報処理装置への、選択した前記情報の送信を制御する送信制御手段と
を含むことを特徴とする情報提供装置。
【請求項２】
前記情報処理装置の使用者の、第１のカテゴリの商品に対する嗜好の度合いを示す第１の嗜好情報、および第２のカテゴリの商品に対する嗜好の度合いを示す第２の嗜好情報を保持する第３の保持手段と、
前記第１の嗜好情報および前記第２の嗜好情報を基に、前記第２のカテゴリの商品を嗜好する前記使用者が、前記第１のカテゴリの商品を嗜好する可能性を示す嗜好可能性情報を算出する算出手段と、
前記算出手段により算出された前記嗜好可能性情報に対応して、前記第２のカテゴリに対応して前記第１のカテゴリを記録する記録手段と
をさらに含み、
前記選択手段は、前記第１のカテゴリの商品の前記情報を送信する場合、前記記録手段に前記第２のカテゴリに対応して前記第１のカテゴリが記録されているとき、前記第３の保持手段に保持されている前記第２の嗜好情報を基に、前記第２のカテゴリの商品を嗜好する前記使用者をさらに選択し、
前記送信制御手段は、前記選択手段により選択された前記使用者の前記情報処理装置に、前記第１のカテゴリの商品の前記情報を送信するように送信を制御する
ことを特徴とする請求項１に記載の情報提供装置。
【請求項３】
情報処理装置に情報を送信する情報提供装置の情報提供方法において、
前記情報処理装置の現在位置を示す位置情報を保持する第１の保持ステップと、
前記情報処理装置の移動範囲を分割した領域に対応させて、前記情報を保持する第２の保持ステップと、
前記位置情報を基に、前記情報処理装置の前記現在位置が含まれる前記領域に対応する、前記情報を選択する選択ステップと、
前記情報処理装置への、選択した前記情報の送信を制御する送信制御ステップと
を含むことを特徴とする情報提供方法。
【請求項４】
情報処理装置に情報を送信する情報提供装置の情報提供処理用のプログラムであって、
前記情報処理装置の現在位置を示す位置情報を保持する第１の保持ステップと、
前記情報処理装置の移動範囲を分割した領域に対応させて、前記情報を保持する第２の保持ステップと、
前記位置情報を基に、前記情報処理装置の前記現在位置が含まれる前記領域に対応する、前記情報を選択する選択ステップと、
前記情報処理装置への、選択した前記情報の送信を制御する送信制御ステップと
を含むことを特徴とするコンピュータが読み取り可能なプログラムが格納されているプログラム格納媒体。
【請求項５】
情報の第１の送信先および前記情報の第２の送信先を保持する第１の保持手段と、
前記第１の送信先および前記第２の送信先のいずれか１つを選択する基準を保持する第２の保持手段と、
前記第２の保持手段が保持している前記基準を基に、前記第１の送信先および前記第２の送信先のいずれか１つを選択する選択手段と、
前記選択手段により選択された前記第１の送信先および前記第２の送信先のいずれか１つへの、前記情報の送信を制御する送信制御手段と
を含むことを特徴とする情報提供装置。
【手続補正２】
【補正対象書類名】明細書
【補正対象項目名】００１１
【補正方法】変更
【補正の内容】
【００１１】
【課題を解決するための手段】
請求項１に記載の情報提供装置は、情報処理装置の現在位置を示す位置情報を保持する第１の保持手段と、情報処理装置の移動範囲を分割した領域に対応させて、情報を保持する第２の保持手段と、位置情報を基に、情報処理装置の現在位置が含まれる領域に対応する、情報を選択する選択手段と、情報処理装置への、選択した情報の送信を制御する送信制御手段とを含むことを特徴とする。
情報処理装置の使用者の、第１のカテゴリの商品に対する嗜好の度合いを示す第１の嗜好情報、および第２のカテゴリの商品に対する嗜好の度合いを示す第２の嗜好情報を保持する第３の保持手段と、第１の嗜好情報および第２の嗜好情報を基に、第２のカテゴリの商品を嗜好する使用者が、第１のカテゴリの商品を嗜好する可能性を示す嗜好可能性情報を算出する算出手段と、算出手段により算出された嗜好可能性情報に対応して、第２のカテゴリに対応して第１のカテゴリを記録する記録手段とをさらに設け、選択手段には、第１のカテゴリの商品の情報を送信する場合、記録手段に第２のカテゴリに対応して第１のカテゴリが記録されているとき、第３の保持手段に保持されている第２の嗜好情報を基に、第２のカテゴリの商品を嗜好する使用者をさらに選択させ、送信制御手段には、選択手段により選択された使用者の情報処理装置に、第１のカテゴリの商品の情報を送信するように送信を制御させることができる。
【手続補正３】
【補正対象書類名】明細書
【補正対象項目名】００１２
【補正方法】変更
【補正の内容】
【００１２】
請求項３に記載の情報提供方法は、情報処理装置の現在位置を示す位置情報を保持する第１の保持ステップと、情報処理装置の移動範囲を分割した領域に対応させて、情報を保持する第２の保持ステップと、位置情報を基に、情報処理装置の現在位置が含まれる領域に対応する、情報を選択する選択ステップと、情報処理装置への、選択した情報の送信を制御する送信制御ステップとを含むことを特徴とする。
【手続補正４】
【補正対象書類名】明細書
【補正対象項目名】００１３
【補正方法】変更
【補正の内容】
【００１３】
請求項４に記載のプログラム格納媒体のプログラムは、情報処理装置の現在位置を示す位置情報を保持する第１の保持ステップと、情報処理装置の移動範囲を分割した領域に対応させて、情報を保持する第２の保持ステップと、位置情報を基に、情報処理装置の現在位置が含まれる領域に対応する、情報を選択する選択ステップと、情報処理装置への、選択した情報の送信を制御する送信制御ステップとを含むことを特徴とする。
請求項５に記載の情報提供装置は、情報の第１の送信先および情報の第２の送信先を保持する第１の保持手段と、第１の送信先および第２の送信先のいずれか１つを選択する基準を保持する第２の保持手段と、第２の保持手段が保持している基準を基に、第１の送信先および第２の送信先のいずれか１つを選択する選択手段と、選択手段により選択された第１の送信先および第２の送信先のいずれか１つへの、情報の送信を制御する送信制御手段とを含むことを特徴とする。
【手続補正５】
【補正対象書類名】明細書
【補正対象項目名】００１４
【補正方法】変更
【補正の内容】
【００１４】
請求項１に記載の情報提供装置、請求項３に記載の情報提供方法、および請求項４に記載のプログラム格納媒体においては、情報処理装置の現在位置を示す位置情報が保持され、情報処理装置の移動範囲を分割した領域に対応させて、情報が保持され、位置情報を基に、情報処理装置の現在位置が含まれる領域に対応する、情報が選択され、情報処理装置への、選択した情報の送信が制御される。
請求項５に記載の情報提供装置においては、情報の第１の送信先および情報の第２の送信先が保持され、第１の送信先および第２の送信先のいずれか１つを選択する基準が保持され、保持している基準を基に、第１の送信先および第２の送信先のいずれか１つが選択され、選択された第１の送信先および第２の送信先のいずれか１つへの、情報の送信が制御される。
【手続補正６】
【補正対象書類名】明細書
【補正対象項目名】０２０２
【補正方法】変更
【補正の内容】
【０２０２】
【発明の効果】
請求項１に記載の情報提供装置、請求項３に記載の情報提供方法、および請求項４に記載のプログラム格納媒体によれば、情報処理装置の現在位置を示す位置情報が保持され、情報処理装置の移動範囲を分割した領域に対応させて、情報が保持され、位置情報を基に、情報処理装置の現在位置が含まれる領域に対応する、情報が選択され、情報処理装置への、選択した情報の送信が制御されるようにしたので、情報処理装置の移動先の位置に対応した情報を送信することができるようになる。
請求項５に記載の情報提供装置によれば、情報の第１の送信先および情報の第２の送信先が保持され、第１の送信先および第２の送信先のいずれか１つを選択する基準が保持され、保持している基準を基に、第１の送信先および第２の送信先のいずれか１つが選択され、選択された第１の送信先および第２の送信先のいずれか１つへの、情報の送信が制御されるようにしたので、移動先の位置に対応した情報を送信することができるようになる。